(57)【要約】【課題】組み付け作業の簡素化を図ることができる液体を吐出する装置及び液体を吐出する装置のメンテナンス方法を提供する。【解決手段】液体を吐出する複数のノズル３１と、複数のノズル３１にそれぞれ通じる複数の個別液室２３と、複数の個別液室２３に通じ、個別液室２３に液体を供給する供給共通液室１２と、を有する液体吐出ヘッド４３４を複数備えた液体を吐出する装置において、供給共通液室１２には、供給共通液室を外部と接続するための少なくとも２つ以上の接続部が設けられ、第一の接続部１２１ａは、液体を貯留するヘッドタンクと接続され、第二の接続部１２１ｂは、他の液体吐出ヘッドに設けられた接続部と接続されている。【選択図】図１
2019104151.tif 000002
【特許請求の範囲】
【請求項１】
液体を吐出する複数のノズルと、
複数の前記ノズルにそれぞれ通じる複数の個別液室と、
複数の前記個別液室に通じ、前記個別液室に前記液体を供給する供給共通液室と、
を有する液体吐出ヘッドを複数備えた液体を吐出する装置において、
前記供給共通液室には、前記供給共通液室を外部と接続するための少なくとも２つ以上の接続部が設けられ、
第一の接続部は、前記液体を貯留するヘッドタンクと接続され、
第二の接続部は、他の前記液体吐出ヘッドに設けられた前記接続部と接続されていることを特徴とする液体を吐出する装置。
【請求項２】
請求項１に記載の液体を吐出する装置において、
前記第一の接続部の近傍には、前記第一の接続部と前記ヘッドタンクとの間の接続が解除されたときに前記液体の漏れを防止する封止機構が設けられていることを特徴とする液体を吐出する装置。
【請求項３】
請求項１または２に記載の液体を吐出する装置において、
前記第一の接続部は、前記供給共通液室のノズル配列方向一端側に設けられ、
前記第二の接続部は、前記供給共通液室のノズル配列方向他端側に設けられていることを特徴とする液体を吐出する装置。
【請求項４】
請求項１乃至３いずれか一項に記載の液体を吐出する装置において、
複数の前記個別液室から前記液体が流れ込む循環共通液室を有し、
前記循環共通液室には、前記循環共通液室を外部と接続するための少なくとも２つ以上の循環側接続部が設けられ、
第一の循環側接続部は、前記液体を貯留するヘッドタンクに接続され、
第二の循環側接続部は、他の前記液体吐出ヘッドに設けられた前記循環側接続部と接続されていることを特徴とする液体を吐出する装置。
【請求項５】
請求項４に記載の液体を吐出する装置において、
前記第一の循環側接続部の近傍には、前記第一の循環側接続部と前記ヘッドタンクとの接続が解除されたときに前記液体の漏れを防止する封止機構が設けられていることを特徴とする液体を吐出する装置。
【請求項６】
請求項４または５に記載の液体を吐出する装置において、
前記第一の循環側接続部は、前記循環共通液室のノズル配列方向一端側に設けられ、
前記第二の循環側接続部は、前記循環共通液室のノズル配列方向他端側に設けられていることを特徴とする液体を吐出する装置。
【請求項７】
請求項１乃至６いずれか一項に記載の液体を吐出する装置において、
複数の前記液体吐出ヘッドを固定する固定部材を備えたことを特徴とする液体を吐出する装置。
【請求項８】
液体を吐出する複数のノズルと、複数の前記ノズルにそれぞれ通じる複数の個別液室と、複数の前記個別液室に通じ、前記個別液室に前記液体を供給する供給共通液室とを有する液体吐出ヘッドを複数備えた液体を吐出する装置のメンテナンス方法において、
前記供給共通液室には、前記供給共通液室を外部と接続するための少なくとも２つ以上の接続部が設けられ、
第一の接続部は、前記液体を貯留するヘッドタンクと接続され、
第二の接続部は、他の前記液体吐出ヘッドに設けられた前記接続部と接続されており、
液体を吐出するときは、各液体吐出ヘッドの第一の接続部をヘッドタンクの液体が供給される供給ポートとして使用し、メンテナンスのときは、前記他の液体吐出ヘッドの第一接続部を、前記供給ポートから前記供給共通液室内の液体を前記ヘッドタンクへ戻す排出ポートに切り替えることを特徴とする液体を吐出する装置のメンテナンス方法。
【請求項９】
液体を吐出する複数のノズルと、複数の前記ノズルにそれぞれ通じる複数の個別液室と、複数の前記個別液室に通じ、前記個別液室に前記液体を供給する供給共通液室と、複数の前記個別液室から前記液体が流れ込む循環共通液室とを有する液体吐出ヘッドを複数備えた液体を吐出する装置のメンテナンス方法において、
前記循環共通液室には、前記循環共通液室を外部と接続するための少なくとも２つ以上の循環側接続部が設けられ、
第一の循環側接続部は、前記液体を貯留するヘッドタンクに接続され、
第二の循環側接続部は、他の前記液体吐出ヘッドに設けられた前記循環側接続部と接続されており、
液体を吐出するときは、各液体吐出ヘッドの第一の循環側接続部を前記循環共通液室内の液体を前記ヘッドタンクへ戻す排出ポートとして使用し、メンテナンスのときは、前記他の液体吐出ヘッドの第一の循環側接続部を、前記排出ポートからヘッドタンクの液体が供給される供給ポートに切り替えることを特徴とする液体を吐出する装置のメンテナンス方法。
【発明の詳細な説明】
【技術分野】
【０００１】
本発明は、液体を吐出する装置及び液体を吐出する装置のメンテナンス方法に関するものである。
【背景技術】
【０００２】
従来、液体を吐出する複数のノズルと、複数の前記ノズルにそれぞれ通じる複数の個別液室と、複数の前記個別液室に通じ、前記個別液室に前記液体を供給する供給共通液室と、を有する液体吐出ヘッドを複数備えた液体を吐出する装置が知られている。
【０００３】
特許文献１には、上記液体を吐出する装置として、ノズルに通ずる液室に液体を供給する供給共通液室のノズル配列方向一端と他端に液体を貯留するタンクに接続されたコネクタを備えた液体を吐出する装置が知られている。そして、液体吐出ヘッドの交換時や長期放置時等にタンクと供給液室とをつなぐパイプに気泡が混入した場合に、ノズル配列方向一端のコネクタから供給共通液室へタンクの液体を供給し、他端のコネクタから供給共通液室内の液体を排出してタンクに戻してインクを循環させることで、パイプ内の気泡をタンクへ排出するようにしている。
【発明の概要】
【発明が解決しようとする課題】
【０００４】
しかしながら、上記特許文献１に記載の液体を吐出する装置においては、組み付け工数が多く、組み付け作業が煩雑となるおそれがあった。
【課題を解決するための手段】
【０００５】
上述した課題を解決するために、本発明は、液体を吐出する複数のノズルと、前記複数のノズルにそれぞれ通じる複数の個別液室と、前記複数の個別液室に通じ、前記個別液室に前記液体を供給する供給共通液室とを有する液体吐出ヘッドを複数備えた液体を吐出する装置において、前記供給共通液室には、前記供給共通液室を外部と接続するための少なくとも２つ以上の接続部が設けられ、第一の接続部は、前記液体を貯留するヘッドタンクと接続され、第二の接続部は、他の前記液体吐出ヘッドに設けられた前記接続部と接続されていることを特徴とするものである。
【発明の効果】
【０００６】
本発明によれば、組み付け作業の簡素化を図ることができる。
【図面の簡単な説明】
【０００７】
【図１】本実施形態に係る液体吐出ヘッドの液体流路の構成を示す模式図。
【図２】封止機能付きカップリングの概略図。
【図３】一つの個別液室をノズル配列方向と直交する方向に沿って切断した断面図。
【図４】循環側連通管および供給側連通管により互いに連通された２つの液体吐出ヘッドの固定について説明する図。
【図５】本実施形態に係るインク循環システムの一例を示すブロック図。
【図６】メンテナンス時における液体吐出ヘッド内のインクの流れを示す図。
【図７】切り替え弁によりインクの供給と排出とを切り替える一例を示す概略図。
【図８】変形例の液体吐出ヘッドにおける液体流路の構成を示す模式図。
【図９】従来の液体吐出ヘッドの構成の一例を示す図。
【図１０】液体循環システムの変形例を示すブロック図。
【図１１】本実施形態に係る液体を吐出する装置の要部平面説明図。
【図１２】本実施形態に係る液体を吐出する装置の要部側面説明図。
【図１３】同ユニットの要部平面説明図。
【発明を実施するための形態】
【０００８】
図１は、本実施液体に係る液体吐出ヘッドの液体流路の構成を示す模式図である。
本実施形態に係る液体吐出ヘッド４３４ａ，４３４ｂ（以下、液体吐出ヘッドを特に区別しないときは、上記「ａ」、「ｂ」の符号は省略する）には、液体たるインクを吐出する複数のノズル３１と、これらノズル３１に対応して複数の個別液室２３とが設けられている。また、液体吐出ヘッド４３４は、各個別液室にインクを供給する供給共通液室１２と、個別液室２３からインクが流れ込む回収共通液室などの循環共通液室５０とを有している。
【０００９】
供給共通液室１２のノズル配列方向（図中左右方向）の一端（図中右側）には、供給側接続管７１、封止機能付きカップリング８０、供給管７３等を介してインクを一次貯留したヘッドタンク４３５（図５参照）に接続されている第一供給側接続部１２１ａが設けられている。他端には、供給側連通管９１を介して隣接する液体吐出ヘッドに接続されている第二供給側接続部１２１ｂが設けられている。
【００１０】
また、循環共通液室５０のノズル配列方向（図中左右方向）の他端（図中左側）には、循環側接続管７２は、封止機能付きカップリング８０、循環管７４等を介してヘッドタンク４３５（図５参照）に接続されている第一循環側接続部１５１ａが設けられている。また、一端（図中右側）には、循環側連通管９２を介して隣接する液体吐出ヘッドに接続されている第二循環側接続部１５１ｂが設けられている。各液体吐出ヘッド４３４ａ，４３４ｂの第一供給側接続部の近傍に設けられた封止機能付きカップリング８０、各液体吐出ヘッド４３４ａ，４３４ｂの第一循環側接続部１５１ａの近傍に設けられた封止機能付きカップリング８０は、同一構成となっている。
【００１１】
図２は、封止機能付きカップリング８０の概略図である。
封止機能付きカップリング８０は、第一カップリング部材８０ａと、第二カップリング部材８０ｂとを有している。各カップリング部材８０ａ,８０ｂには、それぞれバネ８０ａ１,８０ｂ１で負性された弁８０ａ２,８０ｂ２が備えられている。離間時（非連結時）は弁８０ａ２,８０ｂ２が閉じた状態で封止され、連結時には互いに弁８０ａ２,８０ｂ２を押し下げる構成となっていて、押し下げることで流路を連結するような構成になっている。このような封止機能付きカップリング８０としては、ＣＰＣ製のノンスピルカップリングなど、市販されているものを使用することができる。
【００１２】
本実施形態では、図１に示すように、ヘッドタンクに接続される第一供給側接続部１２１ａを、ノズル配列方向の一端側に設け、ヘッドタンクに接続される第一循環側接続部１５１ａをノズル配列方向の他端側に設けているが、これに限られるものではなく、第一供給側接続部１２１ａと第一循環側接続部１５１ａとを、ノズル配列方向の一端側に設けてもよい。しかし、第一供給側接続部１２１ａと第一循環側接続部１５１ａとを互いに異なる端部側に設けることで、ノズル配列方向一端側と他端側とでそれぞれ封止機能付きカップリング８０が、２つずつ配置されることになり、バランスのとれた配置にすることができ、好ましい。
【００１３】
液体吐出ヘッド４３４ａ，４３４ｂは、同色のインクを吐出するものであり、第一液体吐出ヘッド４３４ａは、第二液体吐出ヘッド４３４ｂに対して、ノズル配列方向にノズルピッチの半分の長さずらして配置されている。
【００１４】
図３は、一つの個別液室２３をノズル配列方向と直交する方向に沿って切断した断面図である。
図３に示すように、液体吐出ヘッド４３４ａ，４３４ｂは、供給共通液室１２と循環共通液室５０とが形成されたフレーム１と、複数の個別液室２３等が形成された流路板２と、複数のノズル３１が形成されたノズル板３と、振動板６とを備えている。さらに、複数の個別液室２３に対応して設けられた複数の圧力発生素子である積層圧電素子５と、積層圧電素子５を固定しているベース４とを備えている。
【００１５】
上記ノズル板３は金属材料、例えば電鋳工法によるＮｉメッキ膜等で形成したもので、インク滴を飛翔させるための微細な吐出口であるノズル３１を多数形成している。このノズル３１の内部形状（内側形状）は、ホーン形状（略円柱形状又は略円錘台形状でもよい。）に形成している。また、このノズル３１の径はインク滴出口側の直径で約２０［μｍ］〜３５［μｍ］である。また各列のノズルピッチは１５０［ｄｐｉ］とした。
【００１６】
このノズル板３のインク吐出面（ノズル表面側）は、撥水性の表面処理を施した撥水処理層を設けている。例えば、ＰＴＦＥ−Ｎｉ共析メッキやフッ素樹脂の電着塗装、蒸発性のあるフッ素樹脂（例えばフッ化ピッチなど）を蒸着コートしたもの、シリコン系樹脂・フッ素系樹脂の溶剤塗布後の焼き付け等、インク物性に応じて選定した撥水処理層を設けている。これにより、インクの滴形状、飛翔特性を安定化し、高品位の画像品質を得られるようにしている。
【００１７】
上記流路板２は、ノズル板３に積層される形で設けられており、複数の個別液室２３のほかに、供給共通液室１２から個別液室２３へインクを導入する複数の導入部２０、個別液室２３から循環共通液室５０へインクを流す循環流路４１を有している。また、流路板２は、個別液室２３と導入部２０との間に供給流体抵抗部２１を有しており、個別液室２３と循環流路４１との間に、循環流体抵抗部４２を有している。
【００１８】
流路板２は、シリコン単結晶基板を用いて、個別液室２３、導入部２０および循環流路４１をエッチング工法でパターニングして形成している。エッチングで残された部分が導入部２０と循環流路４１とを仕切る隔壁となる。また、この液体吐出ヘッド４３４ではエッチング幅を狭くする部分を設けて、これを供給流体抵抗部２１、循環流体抵抗部４２とした。
【００１９】
上記振動板６は、流路板２に積層される形で設けられており、薄膜のダイヤフラム部６２と、これの中央部に形成した積層圧電素子５と接合する島状凸部６１と、供給共通液室１２と導入部２０とを連通するインク流入口６３と、循環流路４１と循環共通液室５０とを連通するインク排出口６４とを有している。薄膜のダイヤフラム部６２、島状凸部６１と、インク流入口６３と、インク排出口６４は、個別液室２３に対応させて複数有している。
【００２０】
積層圧電素子５は、島状凸部６１に接着層７を介して接合されている。積層圧電素子５は、厚さ１０［μｍ］〜５０［μｍ］／１層のチタン酸ジルコン酸鉛（ＰＺＴ）の圧電層と、厚さ数［μｍ／１層］の銀・パラジューム（ＡｇＰｄ）からなる内部電極層とを交互に積層している。内部電極層は両端で外部電極に接続する。積層圧電素子５はハーフカットのダイシング加工により櫛歯状に分割され、１つ毎に駆動部と支持部（非駆動部）として使用する。外部電極の外側はハーフカットのダイシング加工で分割されるように、切り欠き等の加工により長さを制限しており、これらは複数の個別電極となる。他方はダイシング加工では分割されずに導通しており共通電極となる。
【００２１】
積層圧電素子５の個別電極にはＦＰＣ（フレキシブルプリント回路）が半田接合されている。また、共通電極は積層圧電素子５の端部に電極層を設けて回し込んでＦＰＣのＧｎｄ電極に接合している。ＦＰＣにはヘッド制御部であるヘッドドライバが実装されており、これにより駆動部への駆動電圧印加を制御している。
【００２２】
積層圧電素子５を固定しているベース４は、チタン酸バリウム系セラミックからなり、積層圧電素子５を２列配置して接合している。また、供給共通液室１２と循環共通液室５０とが形成されたフレーム１は樹脂成形で作製している。
【００２３】
このように構成した液体吐出ヘッド４３４ａ，４３４ｂにおいては、記録信号に応じて積層圧電素子５に駆動パルスで構成される駆動波形（１０［Ｖ］〜５０［Ｖ］のパルス電圧）を印加する。これによって、積層圧電素子５に積層方向の変位が生起し、振動板６を介して個別液室２３が加圧されて圧力が上昇し、ノズル３１からインク滴が吐出される。その後、インク滴吐出の終了に伴い、個別液室２３内のインク圧力が低減し、インクの流れの慣性と駆動電圧（駆動パルス）の放電過程によって個別液室２３内に負圧が発生してインク充填工程へ移行する。具体的には、供給共通液室１２のインクが、供給共通液室１２からインク流入口６３を経て供給流体抵抗部２１を通り、個別液室２３内に充填される。
【００２４】
供給流体抵抗部２１は、吐出後の残留圧力振動の減衰に効果がある反面、表面張力による最充填（リフィル）に対して抵抗になる。供給流体抵抗部２１を適宜に選択することで、残留圧力の減衰とリフィル時間のバランスが取れ、次のインク滴吐出動作に移行するまでの時間（駆動周期）を短くできる。
【００２５】
図４は、循環側連通管９２および供給側連通管９１により互いに連通された２つの液体吐出ヘッド４３４ａ，４３４ｂの固定について説明する図である。
２つの液体吐出ヘッド４３４ａ，４３４ｂは、同一色のインクを吐出するものであり、同一のヘッド固定部材１３０に位置決め固定されている。ヘッド固定部材１３０には、２つの液体吐出ヘッド４３４ａ，４３４ｂのノズル板３が露出する貫通孔１３１ａを有している。第二液体吐出ヘッド４３４ｂは、第一液体吐出ヘッド４３４ａに対してノズル配列方向にノズル最小ピッチΔｐの半分（Δｐ／２）の長さずれた位置でヘッド固定部材１３０に位置決め固定されている。このように、各液体吐出ヘッド４３４ａ，４３４ｂをヘッド固定部材に位置決め固定することで、ひとつの液体吐出ヘッドで画像を形成する場合に比べて、２倍の解像度で画像を形成することができる。
【００２６】
吐出動作により、ノズル３１から気泡を巻き込んだり、十分に脱気されていなかったインクが使用されたりすることによって、液体吐出ヘッド内の液体流路（供給共通液室１２、複数の個別液室２３、循環共通液室５０など）内に気泡が混入することがある。このように液体吐出ヘッドの液体流路に気泡が滞留すると、インク吐出時の圧力変化が緩和されてしまい、十分な速度が得られないなど吐出特性に影響を及ぼす。また、液体吐出ヘッドでは、インクが長い時間、吐出されずに滞留していると、ノズル３１から揮発成分が揮発して粘度が上昇し、吐出特性が変化したり、ノズルの周りに固着したりして、吐出曲がりなどの要因となる。
【００２７】
そのため、本実施形態では、液体吐出ヘッド内のインクを循環させて、液体吐出ヘッド内の気泡や粘度が上昇したインクを液体吐出ヘッドから除去するようにしている。
【００２８】
図５は、本実施形態に係るインク循環システムの一例を示すブロック図である。図５に示すように、インク循環システムは、メインタンク４１０、液体吐出ヘッド４３４、ヘッドタンク４３５、供給側ポンプ４３８ａ、循環側ポンプ４３８ｂ、送液ポンプ４３８ｃ、供給側圧力センサ４３９ａ及び循環側圧力センサ４３９ｂなどで構成されている。供給側圧力センサ４３９ａは、供給側ポンプ４３８ａと液体吐出ヘッド４３４との間に設けられている。また、循環側圧力センサ４３９ｂは、液体吐出ヘッド４３４と循環側ポンプ４３８ｂとの間に設けられている。そして、供給側圧力センサ４３９ａで正圧、循環側圧力センサ４３９ｂで負圧が検知されるように、供給側ポンプ４３８ａ及び循環側ポンプ４３８ｂでインクを流す。これにより、ヘッドタンク４３５から第一供給側接続部１２１ａを通って供給共通液室１２に流入する。供給共通液室１２に流入したインクは、個別液室２３を通って、循環共通液室５０へ流れ、第二循環側接続部１５１ｂから排出されてヘッドタンク４３５に戻るように、インクが循環する。本実施形態では、ポンプによりインクを循環させているが、例えば、ヘッドタンク４３５内に加圧空気を送り込んでインクを加圧することでインクを循環させてもよい。
【００２９】
また、供給側圧力センサ４３９ａが一定正圧、循環側圧力センサ４３９ｂが一定負圧となるように、供給側ポンプ４３８ａ及び循環側ポンプ４３８ｂを常に制御し続ける。これにより、液体吐出ヘッド４３４内を通ってインクを循環させつつ、メニスカスの負圧を一定に保つことができる。
【００３０】
このように、インクを循環させることで、液体吐出ヘッド４３４内の気泡が、インクとともに液体吐出ヘッドから排出され、液体吐出ヘッド４３４内の気泡を取り除くことができる。また、ノズルから揮発成分が揮発して粘度上昇したインクを、液体吐出ヘッドから排出することができる。これにより、良好な吐出特性を維持することができる。また、定期的に液滴を吐出させることで常にノズル３１近傍の液滴の状態を吐出に適した状態に維持するものに比べて、インクを無駄に消費するがなくなり、ランニングコストの上昇を抑えることができる。
【００３１】
また、液体吐出ヘッド４３４のノズル３１から液滴を吐出すると、ヘッドタンク４３５内のインク量が減少していくため、適宜メインタンク４１０から送液ポンプ４３８ｃを用いて、ヘッドタンク４３５にインクを補充することが望ましい。メインタンク４１０からヘッドタンク４３５へのインク補充のタイミングは、ヘッドタンク４３５内のインクの液面高さが所定高さよりも下がったらインク補充を行うなど、ヘッドタンク４３５内に設けた液面センサなどの検知結果によって制御することができる。
【００３２】
しかしながら、上述のインク循環システムでは、効率よく液体吐出ヘッド内の気泡を除去することができず、液体吐出ヘッド内に気泡が残る場合があった。これは、供給共通液室内の気泡は、個別液室２３と導入部２０との間の供給流体抵抗部２１や、個別液室２３と循環流路４１との間の循環流体抵抗部４２を通過する必要がある。そのため、気泡が個別液室へ流れにくく、供給共通液室に留まるのである。また、インクは、供給流体抵抗部２１や、循環流体抵抗部４２を経て循環共通液室５０へ流れるため、循環共通液室５０へ流れ込むインクが少なく、循環共通液室５０に滞留している気泡を、良好に第二循環側接続部１５１ｂまで流すことができないのである。
【００３３】
供給共通液室１２のノズル配列方向一端からヘッドタンク内インクを供給し、供給共通液室１２のノズル配列方向他端から供給液室内のインクを排出してインクをヘッドタンクへ戻すことで、供給共通液室１２に滞留する気泡を良好に除去することができる。しかしながら、かかる構成とすると、供給共通液室１２のインクが、個別液室へうまく流れなくなる。これは、個別液室２３と供給共通液室１２との間に流路抵抗部があるため、供給共通液室１２の多くのインクは、個別液室２３へ流れるよりもノズル配列方向他端からヘッドタンクへ流れてしまうためである。供給共通液室１２のインクが、個別液室２３へうまく流れなくなる結果、個別液室経由のインクの循環量が減少し、個別液室内の気泡や個別液室内の粘度上昇したインクを良好に除去できなくなるという課題がある。
【００３４】
そこで、供給共通液室１２のノズル配列方向他端とヘッドタンクとの間のインク排出流路に切り替え弁を設けることが考えられる。通常のインク吐出動作時には、切り替え弁でヘッドタンクとの連通を閉じることで、個別液室経由のインクの循環量の低下を防止することができ、個別液室内の気泡や個別液室内の粘度上昇したインクを良好に除去できる。また、所定のタイミングで、切り替え弁により、ヘッドタンクと供給共通液室１２とを連通することで、供給共通液室１２に滞留する気泡を良好に除去できる。しかしながら、この構成では、切り替え弁を設ける必要があり、装置のコストアップに繋がるという課題が生じる。
【００３５】
また、同様に、循環共通液室のノズル配列方向一端からヘッドタンク内インクを供給し、循環共通液室のノズル配列方向他端から循環液室内のインク液を排出してインクをヘッドタンクへ戻すことで、循環共通液室５０に滞留する気泡を良好に除去することができる。しかし、かかる構成とすると、個別液室２３のインクが、循環共通液室へ流れ込む量が減り、個別液室経由のインクの循環量が減少し、個別液室内の気泡や個別液室内の粘度上昇したインクを良好に除去できなくなる。
【００３６】
よって、循環共通液室５０のノズル配列方向一端とヘッドタンクとの間のインク供給流路に、切り替え弁を設けて、上述同様、通常の液体吐出動作時には、ヘッドタンクとの連通を閉じ、循環共通液室に滞留する気泡を除去する際に、ヘッドタンクと循環共通液室とを連通することが考えられるが、装置のコストアップに繋がるという課題が生じる。
【００３７】
また、ヘッドタンクから供給共通液室へインクを供給する供給管と、供給共通液室のインクをヘッドタンクへ戻すための循環管と、ヘッドタンクから循環共通液室へインクを供給する供給管と、循環共通液室のインクをヘッドタンクへ戻すための循環管との合計４本の管を、液体吐出ヘッド毎に設ける必要があり、装置の大型化、装置のコストアップに繋がる。特に、液体吐出ヘッドの単位で交換可能に構成した場合は、ひとつの液体ヘッドに対して、合計４本の封止機能付きカップリング８０が必要となり、装置の大型化、装置のコストアップに繋がるという課題がある。また、組み付け工数の増加、配管レイアウトの複雑化に伴い装置の大型化に繋がる。
【００３８】
そこで、本実施形態では、先の図１に示すよう構成して、装置のコストアップを抑えて、上述のインク循環システムでは除去しきれなかった循環共通液室５０と、供給共通液室１２の気泡を良好に除去できるようにした。
【００３９】
本実施形態では、所定のタイミングで、以下のようなメンテナンスを行い、上述のインク循環システムでは除去しきれなかった気泡を除去できるようにしている。
【００４０】
図６は、メンテナンス時における液体吐出ヘッド内のインクの流れを示す図である。
メンテナンスを行なう場合、第一液体吐出ヘッド４３４ａの供給側接続管７１の一端が接続されている第二カップリング部材８０ｂから、供給管７３が接続されている第一カップリング部材８０ａを取り外す。また、液体吐出ヘッド４３４ａの循環側接続管７２の一端が接続されている第二カップリング部材８０ｂから、循環管７４が接続されている第一カップリング部材８０ａを取り外す。そして、外した供給管７３が接続されている第一カップリング部材８０ａを、循環側接続管７２が接続されている第二カップリング部材８０ｂに取り付け、外した循環管７４が接続されている第一カップリング部材８０ａを、供給側接続管７１が接続されている第二カップリング部材８０ｂに取り付けて、付け替える。これにより、第一液体吐出ヘッド４３４ａの第一供給側接続部１２１ａが、ヘッドタンクのインクを供給する供給ポートから供給共通液室１２内のインクをヘッドタンク４３５へ排出する排出ポートに切り替わり、第二液体吐出ヘッド４３４ａの第一循環側接続部１５１ａが、排出ポートから供給ポートに切り替わる。
【００４１】
そして、供給側圧力センサ４３９ａで正圧、循環側圧力センサ４３９ｂで負圧が検知されるように、供給側ポンプ４３８ａ及び循環側ポンプ４３８ｂでインクを流す。すると、第二液体吐出ヘッド４３４ｂの第一供給側接続部１２１ａからインクが供給共通液室１２へ供給される。第二液体吐出ヘッド４３４ｂの供給共通液室内のインクは、供給側連通管９１を介して、第一液体吐出ヘッド４３４ａの供給共通液室へ流れ、第一液体吐出ヘッド４３４ａの第一供給側接続部１２１ａから排出される。そして、ヘッドタンク４３５へ戻り、２つの液体吐出ヘッド４３４ａ，４３４ｂの供給共通液室内のインクが循環する。このときの循環経路（第二液体吐出ヘッドの供給共通液室→供給側連通管９１→第一液体吐出ヘッドの供給共通液室）には、大きな抵抗がないため、各液体吐出ヘッド４３４ａ，４３４ｂの供給共通液室１２に滞留している気泡がスムーズに流れ、良好に各液体吐出ヘッド４３４ａ，４３４ｂの供給共通液室１２から気泡を除去することができる。
【００４２】
また、第一液体吐出ヘッド４３４ａの第一循環側接続部１５１ａから第一液体吐出ヘッド４３４ａの循環共通液室５０へインクが供給され、循環側連通管９２を介して第二液体吐出ヘッド４３４ｂの循環共通液室５０へ流れ、第二液体吐出ヘッド４３４ｂの第一循環側接続部１５１ａから排出される。そして、ヘッドタンク４３５へ戻り、２つの液体吐出ヘッドの循環共通液室内のインクが循環する。このときの循環経路（第一液体吐出ヘッドの循環共通液室→循環側連通管→第二液体吐出ヘッドの循環共通液室）には、大きな抵抗がないため、各液体吐出ヘッドの循環共通液室に滞留している気泡がスムーズに流れ、良好に各液体吐出ヘッドの循環共通液室から気泡を除去することができる。
【００４３】
このように、本実施形態では、供給共通液室１２および循環共通液室５０の気泡を良好に除去することができ、液体吐出ヘッド内に滞留する気泡による吐出不良を良好に除去することができる。
【００４４】
メンテナンスが終了したら、供給管７３が接続されている第一カップリング部材８０ａを、第一液体吐出ヘッド４３４ａの供給側接続管７１の一端が接続されている第二カップリング部材８０ｂへ取り付け、循環管７４が接続されている第一カップリング部材８０ａを、第一液体吐出ヘッド４３４ａの循環側接続管７２の一端が接続されている第二カップリング部材８０ｂへ取り付けて、先の図１に示す状態に戻す。
【００４５】
通常の吐出動作時においては、図１に示す状態で行なわれる。このとき、各液体吐出ヘッドの第一供給側接続部１２１ａは、供給ポートであり、ヘッドタンクのインクが供給され、各液体吐出ヘッドの供給共通液室１２は、各個別液室２３よりも高い圧力に保たれる。これにより、供給共通液室１２から良好に個別液室２３へインクを供給することができる。また、各液体吐出ヘッドの第一循環側接続部１５１ａは、排出ポートであり、インクが排出され、各液体吐出ヘッドの循環共通液室５０は、各個別液室２３よりも低い圧力に保たれる。これにより、個別液室から良好に循環共通液室へインクを流し込むことができ、個別液室内の気泡や、粘度が上昇したインクを除去することができる。よって、良好にインクを吐出することができる。このように、本実施形態では、切り替え弁などを設けることなく、供給共通液室と循環共通液室との気泡を除去でき、かつ、吐出動作時においては、個別液室内のインクを良好に循環させることができる。
【００４６】
また、本実施形態においては、メンテナンス時において、ヘッドタンクに対して２つの液体吐出ヘッドを直列で接続して、２つの液体吐出ヘッドで共通の循環経路を形成することで、ヘッドタンクから液体吐出ヘッドへ供給する供給流路と、液体吐出ヘッドから液体吐出ヘッドへ戻す循環流路を２つの液体吐出ヘッド間で共用できる。これにより、ヘッドタンクに対して２つの液体吐出ヘッドを並列で接続して、液体吐出ヘッド毎に循環経路を形成する従来構成に比べて、配管数を削減できる。
【００４７】
本実施形態では、ヘッドタンクに対して２つの液体吐出ヘッドを直列で接続することで、第一液体吐出ヘッド４３４ａへヘッドタンクのインクを供給する供給管と、第二液体吐出ヘッド４３４ｂへヘッドタンクのインクを供給管と、第一液体吐出ヘッド４３４ａのインクをヘッドタンクへ戻す循環管と、第二液体吐出ヘッド４３４ｂのインクをヘッドタンクへ戻す循環管と、第一液体吐出ヘッドの供給共通液室と第二液体吐出ヘッドの供給共通液室とを連通する連通管と、第一液体吐出ヘッドの循環共通液室と第二液体吐出ヘッドの循環共通液室とを連通する連通管の合計６本の管により２つの液体吐出ヘッドのインクを循環させることができる。これにより、１つの液体吐出ヘッドに対して４本の管、２つの液体吐出ヘッドについて合計８本の管が必要なヘッドタンクに対して２つの液体吐出ヘッドを並列で接続して、液体吐出ヘッド毎に循環経路を形成した従来の構成に比べて、管の本数を削減することができる。これにより、管の組み付け工数を削減することができ、組み付け作業を簡素化することができる。また、管の本数を削減することができ、装置のコストダウンや装置の大型化を抑制できる。また、配管のレイアウトを簡素化でき、装置の小型化を図ることができる。
【００４８】
また、従来においては、第一液体吐出ヘッド４３４ａと第二液体吐出ヘッド４３４ｂとを一体で交換する場合、ヘッドタンクに接続された８本の管それぞれに封止機能付きカップリング８０が必要となり、合計８個の封止機能付きカップリング８０が必要である。一方、本実施形態では、ヘッドタンクに接続された４本の管それぞれに封止機能付きカップリング８０を設けることで、第一液体吐出ヘッド４３４ａと第二液体吐出ヘッド４３４ｂとを一体で交換することができ、封止機能付きカップリング８０の個数を４個削減でき、装置のコストダウン、装置の大型化を避けることができる。
【００４９】
なお、供給側連通管９１と、循環側連通管９２とにそれぞれ封止機能付きカップリング８０を設けて、第一液体吐出ヘッド４３４ａ、第二液体吐出ヘッド４３４ｂを個別で交換可能な構成としてもよい。このように、個別で液体吐出ヘッドを交換可能な構成とした場合でも、封止機能付きカップリング８０の個数が６個で済み、従来構成よりも装置のコストダウン、装置の大型化を抑制することができる。
【００５０】
また、上記例では、メンテナンス時に配管を付け替えることにより、２つの液体吐出ヘッドの第一供給側接続部１２１ａのいずれか一方を供給ポートから排出ポートに切り替え、２つの液体吐出ヘッドの第一循環側接続部１５１ａのいずれか一方を供給ポートから排出ポートに切り替えているが、切り替え弁により、ポートの切り替えを行なってもよい。
【００５１】
図７は、切り替え弁によりインクの供給と排出とを切り替える一例を示す概略図である。
図７に示すように、第二液体吐出ヘッド４３４ｂの第一供給側接続部１２１ａと供給配管１７３との間には切り替え弁としての供給側三方弁７７が設けられている。この供給側三方弁７７には、供給配管１７３と、供給管７３と、一端が循環配管１７４に接続された循環バイパス管７４ａとが接続されている。また、第一液体吐出ヘッド４３４ａの第二循環側接続部１５１ｂと循環配管１７４との間には切り替え弁としての循環側三方弁７６が設けられている。この循環側三方弁７６には、循環配管１７４と、循環管７４と、一端が供給配管１７３に接続された供給バイパス管７３ａとが接続されている。
【００５２】
通常時は、供給側三方弁７７は、供給配管１７３と供給管７３との接続を開いて、循環バイパス管７４ａと供給管７３との接続は閉じている。これにより、第二液体吐出ヘッド４３４ｂの第一供給側接続部１２１ａから供給共通液室１２へインクが供給される。また、循環側三方弁７６は、循環配管１７４と循環管７４との接続を開いて、供給バイパス管７３ａと循環管７４との接続を閉じている。これにより、第一液体吐出ヘッド４３４ａの第一循環側接続部１５１ａから循環共通液室５０のインクが排出される。
【００５３】
メンテナンス時においては、供給配管１７３と供給管７３との接続を閉じて、循環バイパス管７４ａと供給管７３との接続を開く。これにより、第一供給側接続部が供給ポートから排出ポートに切り替わり、第二液体吐出ヘッド４３４ｂの第一供給側接続部１２１ａから供給共通液室１２のインクが排出される。また、循環側三方弁７６は、循環配管１７４と循環管７４との接続を閉じて、供給バイパス管７３ａと循環管７４との接続を開く。これにより、第一循環側接続部が、排出ポートから供給ポートに切り替わり、第一液体吐出ヘッド４３４ａの第一循環側接続部１５１ａから循環共通液室５０へインクが供給される。これにより、管の付け替えを行なうことなく、供給・排出の切り替えを行なうことができる。
【００５４】
図７に示す構成では、２つ切り替え弁が必要となるが、各液体吐出ヘッド４３４ａ，４３４ｂの第二供給側接続部１２１ｂに循環管７４を接続して排出ポートとし、各液体吐出ヘッド４３４ａ，４３４ｂの第二循環側接続部１５１ｂに供給管７３を接続して供給ポートとした場合は、各液体吐出ヘッドに２つずつ、計４個の切り替え弁が必要となる。よって、図７に示す構成の方が、装置のコストダウンを図ることができる。
【００５５】
また、本実施形態では、図１に示すように、吐出動作時においては、第一液体吐出ヘッド４３４ａおよび第二液体吐出ヘッド４３４ｂの第一供給側接続部１２１ａから供給共通液室へインクが供給されるように構成されている。吐出動作時に、第一液体吐出ヘッド４３４ａおよび第二液体吐出ヘッド４３４ｂのいずれか一方の液体吐出ヘッドの第一供給側接続部１２１ａから供給共通液室へインクを供給するように構成した場合、最大吐出時に、インク供給量が不足するおそれがある。このようなインク供給量の不足を抑制するには、供給管７３や供給側連通管などを太くして流路抵抗を減らす必要が生じ、装置が大型化してしまう。よって、本実施形態のように、吐出動作時においては、第一液体吐出ヘッド４３４ａおよび第二液体吐出ヘッド４３４ｂの第一供給側接続部１２１ａから供給共通液室へインクが供給されるよう構成することにより、インク供給不足を抑制でき、安定的な吐出が可能となる。また、供給管７３や供給側連通管などの大径化を抑制でき、装置の大型化を抑制することができる。
【００５６】
次に、本実施形態の変形例について、説明する。
図８は、変形例の液体吐出ヘッドにおける液体流路の構成を示す模式図である。
図８に示すように、変形例の各液体吐出ヘッド４３４ａ，４３４ｂは、供給共通液室１２と、個別液室２３とを有しており、循環共通液室を有していないものである。この変形例においても、ヘッドタンクに対して２つの液体吐出ヘッドを直列で接続している。具体的には、供給共通液室１２のノズル配列方向両端に接続部２２１ａ，２２１ｂを有しており、一端側の第二接続部２２１ｂには、第一液体吐出ヘッド４３４ａと第二液体吐出ヘッド４３４ｂとを連通する連通管１９１が接続されている。また、各液体吐出ヘッドの第一接続部２２１ａには、封止機能付きカップリング８０を介してヘッドタンクのインクを供給する供給管が接続されている。
【００５７】
第一液体吐出ヘッド４３４ａの第一接続部２２１ａとヘッドタンクとの間には、先の図７に示した切り替え弁たる三方弁を有しており、第一接続部２２１ａを、ヘッドタンクのインクを第一液体吐出ヘッド４３４ａへ供給する供給ポートと、第一液体吐出ヘッドのインクを、ヘッドタンクへ排出する排出ポートとに切り替え可能としている。
【００５８】
通常の吐出動作のときは、第一接続部２２１ａを、供給ポートとし、各液体吐出ヘッド４３４ａ，４３４ｂに滞留する気泡の除去を行なうメンテナンスのときは、排出ポートに切り替える。このように、メンテナンス時において、排出ポートに切り替えることにより、第二液体吐出ヘッド４３４ｂの第一接続部２２１ａから供給されたヘッドタンクのインクは、第二液体吐出ヘッド内を流れた後、連通管１９１を介して第一液体吐出ヘッドへと流れる。そして、連通管１９１を介して流れてきたインクは、第一液体吐出ヘッド内を流れ、第一液体吐出ヘッドの第一接続部２２１ａから排出され、ヘッドタンクへ戻される。これにより、第一、第二液体吐出ヘッド内のインクが循環し、第一、第二液体吐出ヘッド内の気泡が、インクととともにヘッドタンクへ排出され、第一、第二液体吐出ヘッド内の気泡が除去される。
【００５９】
図９は、ヘッドタンクに対して２つの液体吐出ヘッドを並列で接続する従来の液体吐出ヘッドの構成の一例を示す図である。
図９に示す構成においては、各液体吐出ヘッド４３４ａ，４３４ｂの第一接続部２２１ａに封止機能付きカップリング８０を介してヘッドタンクのインクを供給する供給管が接続されており、第一接続部２２１ａに封止機能付きカップリング８０を介して液体吐出ヘッドのインクをヘッドタンクに戻す循環管が接続されている。
【００６０】
この図９に示すように、ヘッドタンクに対して２つの液体吐出ヘッドを並列で接続する構成では、２個の液体吐出ヘッドに対して、合計４本の管が接続される。これに対し、図８に示すヘッドタンクに対して２つの液体吐出ヘッドを直列で接続した構成では、２個の液体吐出ヘッドに対して、合計３本の管にでき、管の数を削減することができる。また、図８に示す構成では、２個の封止機能付きカップリング８０を設ければ、２個の液体吐出ヘッドを交換することができるが、図９に示す従来構成では、４個の封止機能付きカップリング８０が必要となる。また、図８に示す構成において、連通管９１に封止機能付きカップリング８０を追加すれば各液体吐出ヘッドを個別に交換でき、封止機能付きカップリング８０を３個設ければ、各液体吐出ヘッドを個別に交換することができ、図９に示す構成に比べて、封止機能付きカップリング８０を削減することができる。
【００６１】
なお、上述では、切り替え弁を用いて、第一液体吐出ヘッド４３４ａの第一接続部２２１ａを、供給ポートと排出ポートとに切り替えているが、循環管と供給管とをそれぞれ備え、メンテナンス時に、第一接続部２２１ａから供給管を取り外して、循環管を取り付けることで、ポートを切り替えてもよい。この場合は、２つの液体吐出ヘッドに対して接続する管を４本（連通管１９１、循環管、および２本の供給管）用いることになるが、封止機能付きカップリング８０の個数は、図９に示す構成に比べて削減することができ、装置のコストダウン・装置の小型化を図ることができる。
【００６２】
図１０は、液体循環システムの変形例を示すブロック図である。
図１０に示すように、変形例の液体循環システム５３０は、メインタンク５０２、液体吐出ヘッド４３４、供給タンク５３１、循環タンク５３２、コンプレッサ５３３、真空ポンプ５３４、第一送液ポンプ５３５、第二送液ポンプ５３６、供給側圧力センサ５３７、循環側圧力センサ５３８、レギュレータ（Ｒ）５３９ａ，５３９ｂなどで構成されている。供給側圧力センサ５３７は、供給タンク５３１と液体吐出ヘッド４３４との間に配置されている。循環側圧力センサ５３８は、液体吐出ヘッド４３４と循環タンク５３２との間に接続されている。
【００６３】
循環タンク５３２の一方は、第一送液ポンプ５３５を介して供給タンク５３１と接続されており、循環タンク５３２の他方は第二送液ポンプ５３６を介してメインタンク５０２と接続されている。これにより、供給タンク５３１から液体吐出ヘッド４３４内にインクが流入し、液体吐出ヘッドから循環タンク５３２へインクが排出される。そして、さらに第一送液ポンプ５３５によって循環タンク５３２から供給タンク５３１へ液体が送られることによって液体が循環する。また、供給タンク５３１にはコンプレッサ５３３がつなげられており、供給側圧力センサ５３７で所定の正圧が検知されるように制御される。一方、循環タンク５３２には真空ポンプ５３４がつなげられており、循環側圧力センサ５３８で所定の負圧が検知されるよう制御される。これにより、液体吐出ヘッド４３４内を通って液体を循環させつつ、メニスカスの負圧を一定に保つことができる。
【００６４】
また、液体吐出ヘッド４３４のノズル３１から液体を吐出すると、供給タンク５３１及び循環タンク５３２内の液体量が減少していく。そのため、適宜メインタンク５０２から第二送液ポンプ５３６を用いて、メインタンク５０２から循環タンク５３２に液体を補充することが望ましい。メインタンク５０２から循環タンク５３２への液体補充のタイミングは、循環タンク５３２内のインクの液面高さが所定高さよりも下がったら液体補充を行うなど、循環タンク５３２内に設けた液面センサなどの検知結果によって制御することができる。
【００６５】
次に、各実施形態に係る液体吐出ヘッド４３４を適用可能な液体を吐出する装置の一例を、図１１及び図１２を参照して説明する。図１１は本実施形態に係る液体を吐出する装置の要部平面説明図であり、図１２は本実施形態に係る液体を吐出する装置の要部側面説明図である。この液体を吐出する装置は、シリアル型装置であり、主走査移動機構５９３によって、キャリッジ５０３は主走査方向に往復移動する。主走査移動機構５９３は、ガイド部材５０１、主走査モータ５０５、及び、タイミングベルト５０８等で構成されている。ガイド部材５０１は、装置長手方向両側に設けられた側板５９１Ａ，５９１Ｂに架け渡されており、キャリッジ５０３を移動可能に保持している。キャリッジ５０３は、主走査モータ５０５によって、駆動プーリ５０６と従動プーリ５０７との間に架け渡したタイミングベルト５０８を介して装置長手方向である主走査方向に往復移動される。
【００６６】
このキャリッジ５０３には、複数の液体吐出ヘッド４３４を搭載した液体吐出ユニット５４０が設けられている。液体吐出ユニット５４０は、液体吐出ヘッド４３４は、例えば、イエロー（Ｙ）、シアン（Ｃ）、マゼンタ（Ｍ）、ブラック（Ｋ）の各色の液体を吐出する。また、液体吐出ヘッド４３４は、複数のノズルからなるノズル列を主走査方向と直交する副走査方向に配置し、吐出方向を下方に向けて装着している。液体吐出ヘッド４３４の外部に貯留されている液体を液体吐出ヘッド４３４に供給するための供給循環機構５９４により、液体が液体吐出ヘッド４３４内に供給及び循環される。
【００６７】
本実施形態では、イエロー（Ｙ）の液体を吐出する液体吐出ヘッド、シアン（Ｃ）の液体を吐出する液体吐出ヘッド、マゼンタ（Ｍ）の液体を吐出する液体吐出ヘッド、ブラック（Ｋ）の液体を吐出する液体吐出ヘッドをそれぞれ複数備えている。そして、先の図１や図８に示したように、同一色の液体を吐出する複数の液体吐出ヘッドで、液体が供給循環機構５９４により供給及び循環される。
【００６８】
液体を吐出する装置は、用紙５１０を搬送するための搬送機構５９５を備えている。搬送機構５９５は、搬送手段である搬送ベルト５１２、搬送ベルト５１２を駆動するための副走査モータ５１６などで構成されている。搬送ベルト５１２は、用紙５１０を吸着して液体吐出ヘッド４３４に対向する位置で搬送する。この搬送ベルト５１２は、無端状ベルトであり、搬送ローラ５１３とテンションローラ５１４との間に掛け渡されている。搬送ベルト５１２への用紙５１０の吸着は、静電吸着あるいはエアー吸引などで行うことができる。搬送ベルト５１２は、副走査モータ５１６によってタイミングベルト５１７及びタイミングプーリ５１８を介して搬送ローラ５１３が回転駆動されることによって、副走査方向に周回移動する。
【００６９】
キャリッジ５０３の主走査方向の一方側には、搬送ベルト５１２の側方に液体吐出ヘッド４３４の維持回復を行う維持回復機構５２０が配置されている。維持回復機構５２０は、例えば液体吐出ヘッド４３４のノズル面（ノズルが形成された面）をキャッピングするキャップ部材５２１や、ノズル面を払拭するワイパ部材５２２などで構成されている。
【００７０】
主走査移動機構５９３、供給循環機構５９４、維持回復機構５２０、及び、搬送機構５９５は、側板５９１Ａ，５９１Ｂ及び背板５９１Ｃなどで構成される筐体に取り付けられている。このように構成した、液体を吐出する装置においては、用紙５１０が搬送ベルト５１２上に給紙されて吸着され、搬送ベルト５１２の周回移動によって用紙５１０が副走査方向に搬送される。そして、キャリッジ５０３を主走査方向に移動させながら画像信号に応じて液体吐出ヘッド４３４を駆動することにより、停止している用紙５１０に液体を吐出して画像を形成する。このように、液体を吐出する装置では、液体吐出ヘッド４３４を備えているので、高画質画像を安定して形成することができる
【００７１】
次に、液体吐出ユニット５４０の他例について図１３を参照して説明する。図１３は同ユニットの要部平面説明図である。この液体吐出ユニット５４０は、前記液体を吐出する装置を構成している部材のうち、側板５９１Ａ，５９１Ｂ及び背板５９１Ｃで構成される筐体部分と、主走査移動機構５９３と、キャリッジ５０３と、液体吐出ヘッド４３４とで構成されている。なお、この液体吐出ユニット５４０の例えば側板５９１Ｂに、前述した維持回復機構５２０及び供給循環機構５９４の少なくともいずれかを更に取り付けた液体吐出ユニット５４０を構成することもできる。
【００７２】
本実施形態において、「液体吐出ヘッド」とは、ノズルから液体を吐出・噴射する機能部品である。吐出される液体は、ヘッドから吐出可能な粘度や表面張力を有するものであればよく、特に限定されないが、常温、常圧下において、または加熱、冷却により粘度が３０[ｍＰａ・ｓ]以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどである。これらは例えば、インクジェット用インク、表面処理液、電子素子や発光素子の構成要素や電子回路レジストパターンの形成用液、３次元造形用材料液等の用途で用いることができる。液体を吐出するエネルギー発生源として、圧電アクチュエータ（積層型圧電素子及び薄膜型圧電素子）、発熱抵抗体などの電気熱変換素子を用いるサーマルアクチュエータ、振動板と対向電極からなる静電アクチュエータなどを使用するものが含まれる。
【００７３】
「液体吐出ユニット」とは、液体吐出ヘッドに機能部品、機構が一体化したものであり、液体の吐出に関連する部品の集合体である。例えば、「液体吐出ユニット」は、供給循環機構、キャリッジ、維持回復機構、主走査移動機構の構成の少なくとも一つを液体吐出ヘッドと組み合わせたものなどが含まれる。ここで、一体化とは、例えば、液体吐出ヘッドと機能部品、機構が、締結、接着、係合などで互いに固定されているもの、一方が他方に対して移動可能に保持されているものを含む。また、液体吐出ヘッドと、機能部品、機構が互いに着脱可能に構成されていても良い。
【００７４】
例えば、液体吐出ユニットとして、液体吐出ヘッドと供給循環機構が一体化されているものがある。また、チューブなどで互いに接続されて、液体吐出ヘッドと供給循環機構が一体化されているものがある。ここで、これらの液体吐出ユニットの供給循環機構と液体吐出ヘッドとの間にフィルタを含むユニットを追加することもできる。また、液体吐出ユニットとして、液体吐出ヘッドとキャリッジが一体化されているものがある。また、液体吐出ユニットとして、液体吐出ヘッドを走査移動機構の一部を構成するガイド部材に移動可能に保持させて、液体吐出ヘッドと走査移動機構が一体化されているものがある。また、液体吐出ユニットとして、液体吐出ヘッドが取り付けられたキャリッジに、維持回復機構の一部であるキャップ部材を固定させて、液体吐出ヘッドとキャリッジと維持回復機構が一体化されているものがある。また、液体吐出ユニットとして、供給循環機構若しくは流路部品が取付けられた液体吐出ヘッドにチューブが接続されて、液体吐出ヘッドと供給機構が一体化されているものがある。このチューブを介して、液体貯留源の液体が液体吐出ヘッドに供給される。主走査移動機構は、ガイド部材単体も含むものとする。また、供給機構は、チューブ単体、装填部単体も含むものとする。
【００７５】
「液体を吐出する装置」は、液体吐出ヘッドまたは液体吐出ユニットを備え、液体吐出ヘッドを駆動させて、液体を吐出させる装置である。液体を吐出する装置には、液体が付着可能なものに対して液体を吐出することが可能な装置だけでなく、液体を気中や液中に向けて吐出する装置も含まれる。この「液体を吐出する装置」は、液体が付着可能なものの給送、搬送、排紙に係わる手段、その他、前処理装置、後処理装置なども含むことができる。
【００７６】
例えば、「液体を吐出する装置」として、インクを吐出させて用紙に画像を形成する装置である画像形成装置、立体造形物（三次元造形物）を造形するために、粉体を層状に形成した粉体層に造形液を吐出させる立体造形装置（三次元造形装置）がある。また、「液体を吐出する装置」は、吐出された液体によって文字、図形等の有意な画像が可視化されるものに限定されるものではない。例えば、それ自体意味を持たないパターン等を形成するもの、三次元像を造形するものも含まれる。
【００７７】
上記「液体が付着可能なもの」とは、液体が少なくとも一時的に付着可能なものであって、付着して固着するもの、付着して浸透するものなどを意味する。具体例としては、用紙、記録紙、記録用紙、フィルム、布などの被記録媒体、電子基板、圧電素子などの電子部品、粉体層（粉末層）、臓器モデル、検査用セルなどの媒体であり、特に限定しない限り、液体が付着するすべてのものが含まれる。上記「液体が付着可能なもの」の材質は、紙、糸、繊維、布帛、皮革、金属、プラスチック、ガラス、木材、セラミックスなど液体が一時的でも付着可能であればよい。
【００７８】
また、「液体」は、ヘッドから吐出可能な粘度や表面張力を有するものであればよく、特に限定されないが、常温、常圧下において、または加熱、冷却により粘度が３０[ｍＰａ・ｓ]以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどである。これらは例えば、インクジェット用インク、表面処理液、電子素子や発光素子の構成要素や電子回路レジストパターンの形成用液、３次元造形用材料液等の用途で用いることができる。
【００７９】
また、「液体を吐出する装置」は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置などが含まれる。また、「液体を吐出する装置」としては他にも、用紙の表面を改質するなどの目的で、用紙の表面に処理液を塗布するために処理液を用紙に吐出する処理液塗布装置がある。また、原材料を溶液中に分散した組成液をノズルを介して噴射させて、原材料の微粒子を造粒する噴射造粒装置などがある。また、本願の用語における、画像形成、記録、印字、印写、印刷、造形等はいずれも同義語とする。
【００８０】
以上に説明したものは一例であり、以下の態様毎に特有の効果を奏する。
（態様１）
インクなどの液体を吐出する複数のノズル３１と、複数のノズル３１にそれぞれ通じる複数の個別液室２３と、複数の個別液室２３に通じ、個別液室２３に液体を供給する供給共通液室１２とを有する液体吐出ヘッド４３４を複数備えた液体を吐出する装置において、供給共通液室１２には、供給共通液室を外部と接続するための少なくとも２つ以上の接続部が設けられ、第一供給側接続部１２１ａなどの第一の接続部は、液体を貯留するヘッドタンク４３５と接続され、第二供給側接続部１２１ｂなどの第二の接続部は、他の前記液体吐出ヘッドに設けられた前記接続部と接続されている。
これにより、供給共通液室とヘッドタンクとの間で液体を循環させて、供給共通液室の気泡を除去するメンテナンス動作時の循環経路が次のようになる。すなわち、ヘッドタンクに接続された２つの液体吐出ヘッドのうち、一方の液体吐出ヘッドの供給共通液室へヘッドタンクのインクを供給し、他方の液体吐出ヘッドの供給共通液室からヘッドタンクへインクを戻すような循環経路である。これによれば、複数の液体吐出ヘッドの供給共通液室のインクを循環させることができ、供給共通液室の気泡を良好に除去することができる。
また、態様１では、１つの循環経路で、複数の液体吐出ヘッドの供給共通液室とヘッドタンクとの間で液体を循環させることができる。これにより、液体吐出ヘッドの供給共通液室からヘッドタンクへ戻すための管を複数の液体吐出ヘッドで共用することができる。よって、液体吐出ヘッド毎にヘッドタンクとの間で循環経路を形成するものに比べて、管を削減することが可能となり、管の組み付け工数を削減することができ、組み付け作業の簡素化を図ることができる。
【００８１】
（態様２）
態様１において、第一供給側接続部１２１ａなどの第一の接続部近傍には、前記第一の接続部と前記ヘッドタンクとの間の接続が解除されたときに前記液体の漏れを防止する封止機構が設けられている。
これによれば、液体吐出ヘッドを取り替える際に、ヘッドタンク４３５と供給共通液室１２との接続を外しても、液が漏れ出すのを防止することができる。
なお、「供給共通液室１２とヘッドタンク４３５との間の接続」は、ヘッドタンク４３５が直接供給共通液室１２につながっている状態のみを指し示すのではなく、供給共通液室１２よりも上流側の経路中のどこかにヘッドタンク４３５が存在する状態のことも含む。従って、供給共通液室１２とヘッドタンク４３５の間に接続管や圧力センサが配置されていても良い。
【００８２】
（態様３）
態様１または２において、第一供給側接続部１２１ａなどの第一の接続部は、前記供給共通液室１２のノズル配列方向一端側に設けられ、第二供給側接続部１２１ｂなどの第二の接続部は、前記供給共通液室１２のノズル配列方向他端側に設けられている。
これによれば、供給共通液室１２の一端側からインクなどの液体を供給し、他端側から液体を排出することができ、供給共通液室１２に滞留する気泡を良好に除去することができる。
【００８３】
（態様４）
態様１乃至３いずれかにおいて、複数の前記個別液室２３から前記液体が流れ込む循環共通液室５０を有し、前記循環共通液室５０には、前記循環共通液室５０を外部と接続するための少なくとも２つ以上の循環側接続部が設けられ、第一循環側接続部１５１ａなどの第一の循環側接続部は、前記液体を貯留するヘッドタンク４３５に接続され、第二循環側接続部１５１ｂなどの第一の循環側接続部は、他の前記液体吐出ヘッドに設けられた前記循環側接続部と接続されている。
これによれば、実施形態で説明したように、循環共通液室５０の気泡を除去するメンテナンス動作時の循環経路が次のようになる。ヘッドタンクに接続された２つの液体吐出ヘッドのうち、一方の液体吐出ヘッド循環収共通液室へヘッドタンクのインクを供給し、他方の液体吐出ヘッドの循環共通液室からヘッドタンクへインクを戻すことで、インクを循環させることができ、循環共通液室の気泡を良好に除去することができる。
また、１つの循環経路で、複数の液体吐出ヘッドの循環共通液室とヘッドタンクとの間で液体を循環させることができる。これにより、ヘッドタンクから液体吐出ヘッドの循環共通液室へインクを供給するための管と液体吐出ヘッドの循環共通液室からヘッドタンクへ戻すための管を複数の液体吐出ヘッドで共用することができる。よって、従来装置よりも管を削減することが可能となり、管の組み付け工数を削減することができ、組み付け作業の簡素化を図ることができる。
【００８４】
（態様５）
態様４において、前記第一の循環側接続部の近傍には、前記第一の循環側接続部と前記ヘッドタンクとの接続が解除されたときに前記液体の漏れを防止する封止機構が設けられている。
これによれば、液体吐出ヘッドを取り替える際に、ヘッドタンクと循環共通液室５０との接続を外しても、液が漏れ出すのを防止することができる。
なお、「循環共通液室とヘッドタンク４３５との間の接続」は、ヘッドタンク４３５が直接循環共通液室につながっている状態のみを指し示すのではなく、循環共通液室よりも上流側の経路中のどこかにヘッドタンク４３５が存在する状態のことも含む。従って、循環共通液室とヘッドタンク４３５の間に接続管や圧力センサが配置されていても良い。
【００８５】
（態様６）
態様４または５において、第一循環側接続部１５１ａなどの第一の循環側接続部は、前記循環共通液室５０のノズル配列方向一端側に設けられ、第二循環側接続部１５１ｂなどの前記第二の循環側接続部は、前記循環共通液室５０のノズル配列方向他端側に設けられている
これによれば、循環共通液室５０の一端側からインクなどの液体を供給し、他端側から液体を排出することができ、循環共通液室に滞留する気泡を良好に除去することができる。
【００８６】
（態様７）
態様１乃至６いずれかにおいて、複数の前記液体吐出ヘッドを固定する固定部材を備えた。
これによれば、複数の液体吐出ヘッドとの位置関係を決めて、固定することができる。
【００８７】
（態様８）
液体を吐出する複数のノズルと、前記複数のノズルにそれぞれ通じる複数の個別液室と、前記複数の個別液室に通じ、前記個別液室に前記液体を供給する供給共通液室とを有する複数の液体吐出ヘッドを備えた液体を吐出する装置のメンテナンス方法において、供給共通液室１２には、供給共通液室を外部と接続するための少なくとも２つ以上の接続部が設けられ、第一供給側接続部１２１ａなどの第一の接続部は、液体を貯留するヘッドタンク４３５と接続され、第二供給側接続部１２１ｂなどの第二の接続部は、他の前記液体吐出ヘッドに設けられた前記接続部と接続されており、液体を吐出するときは、各液体吐出ヘッドの第一の接続部をヘッドタンクの液体が供給される供給ポートとして使用し、メンテナンスのときは、前記他の液体吐出ヘッドの第一接続部を、前記供給ポートから前記供給共通液室内の液体を前記ヘッドタンクへ戻す排出ポートに切り替える。
これによれば、実施形態で説明したように、液体吐出ヘッド毎に供給共通液室のインクなどの液体を循環させる場合に比べて、配管数を減らすことが可能となり、組み付け工数の削減を図ることができる。
【００８８】
（態様９）
液体を吐出する複数のノズルと、前記複数のノズルにそれぞれ通じる複数の個別液室と、複数の前記個別液室に通じ、前記個別液室に前記液体を供給する供給共通液室と、複数の前記個別液室から前記液体が流れ込む循環共通液室５０とを有する複数の液体吐出ヘッドを備えた液体を吐出する装置のメンテナンス方法において、第一循環側接続部１５１ａなどの第一の循環側接続部は、前記液体を貯留するヘッドタンク４３５に接続され、第二循環側接続部１５１ｂなどの第一の循環側接続部は、他の前記液体吐出ヘッドに設けられた前記循環側接続部と接続されており、液体を吐出するときは、各液体吐出ヘッドの第一の循環側接続部を前記循環共通液室内の液体を前記ヘッドタンクへ戻す排出ポートとして使用し、メンテナンスのときは、前記他の液体吐出ヘッドの第一の循環側接続部を、前記排出ポートからヘッドタンクの液体が供給される供給ポートに切り替える。
実施形態で説明したように、液体吐出ヘッド毎に循環共通液室５０のインクなどの液体を循環させる場合に比べて、配管数を減らすことが可能となり、組み付け工数の削減を図ることができる。
【符号の説明】
【００８９】
１        ：フレーム
２        ：流路板
３        ：ノズル板
４        ：ベース
５        ：積層圧電素子
６        ：振動板
７        ：接着層
１２      ：供給共通液室
２０      ：導入部
２１      ：供給流体抵抗部
２３      ：個別液室
３１      ：ノズル
４１      ：循環流路
４２      ：循環流体抵抗部
５０      ：循環共通液室
６１      ：島状凸部
６２      ：ダイヤフラム部
６３      ：インク流入口
６４      ：インク排出口
７１      ：供給側接続管
７２      ：循環側接続管
７３      ：供給管
７３ａ    ：供給バイパス管
７４      ：循環管
７４ａ    ：循環バイパス管
７６      ：循環側三方弁
７７      ：供給側三方弁
８０      ：封止機能付きカップリング
８０ａ    ：第一カップリング部材
８０ｂ    ：第二カップリング部材
９１      ：供給側連通管
９２      ：循環側連通管
１２１ａ  ：第一供給側接続部
１２１ｂ  ：第二供給側接続部
１３０    ：ヘッド固定部材
１５１ａ  ：第一循環側接続部
１５１ｂ  ：第二循環側接続部
１７３    ：供給配管
１７４    ：循環配管
４１０    ：メインタンク
４３４    ：液体吐出ヘッド
４３５    ：ヘッドタンク
４３８ａ  ：供給側ポンプ
４３８ｂ  ：循環側ポンプ
４３８ｃ  ：送液ポンプ
４３９ａ  ：供給側圧力センサ
４３９ｂ  ：循環側圧力センサ
５０１    ：ガイド部材
５０２    ：メインタンク
５０３    ：キャリッジ
５１０    ：用紙
５２０    ：維持回復機構
５３０    ：液体循環システム
５３１    ：供給タンク
５３２    ：循環タンク
５３３    ：コンプレッサ
５３４    ：真空ポンプ
５３５    ：第一送液ポンプ
５３６    ：第二送液ポンプ
５３７    ：供給側圧力センサ
５３８    ：循環側圧力センサ
５４０    ：液体吐出ユニット
５９４    ：供給循環機構
【先行技術文献】
【特許文献】
【００９０】
【特許文献１】特開平８−２３８７７２号公報
【図１】
2019104151.tif 000003
【図２】
2019104151.tif 000004
【図３】
2019104151.tif 000005
【図４】
2019104151.tif 000006
【図５】
2019104151.tif 000007
【図６】
2019104151.tif 000008
【図７】
2019104151.tif 000009
【図８】
2019104151.tif 000010
【図９】
2019104151.tif 000011
【図１０】
2019104151.tif 000012
【図１１】
2019104151.tif 000013
【図１２】
2019104151.tif 000014
【図１３】
2019104151.tif 000015